(57)【要約】【課題】移動体端末によって無線放送を視聴するユーザにとって適当な無線放送を視聴候補として選択することのできる視聴放送選択方法、移動体端末及び視聴放送選択プログラムの提供を目的とする。【解決手段】無線放送の視聴が可能な移動体端末が実行する視聴放送選択方法であって、無線放送を視聴するユーザからの指示に応じ、当該無線放送の識別情報と、前記指示がなされた時刻及び曜日の少なくともいずれか一方とを関連付けて記憶装置に記録する視聴履歴記録手順と、前記識別情報が記録された無線放送が受信されるときに、当該識別情報に関連付けられて記録されている時刻の値が現在の時刻の値の所定の範囲内にある場合、又は当該識別情報に関連付けられて記録されている曜日が現在の曜日に一致する場合に、当該無線放送を視聴候補として選択する視聴候補選択手順とを有することにより上記課題を解決する。【選択図】図４
2007329839.tif 000002
【特許請求の範囲】
【請求項１】
無線放送の視聴が可能な移動体端末が実行する視聴放送選択方法であって、
無線放送を視聴するユーザからの指示に応じ、当該無線放送の識別情報と、前記指示がなされた時刻及び曜日の少なくともいずれか一方とを関連付けて記憶装置に記録する視聴履歴記録手順と、
前記識別情報が記録された無線放送が受信されるときに、当該識別情報に関連付けられて記録されている時刻の値が現在の時刻の値の所定の範囲内にある場合、又は当該識別情報に関連付けられて記録されている曜日が現在の曜日に一致する場合に、当該無線放送を視聴候補として選択する視聴候補選択手順とを有することを特徴とする視聴放送選択方法。
【請求項２】
前記視聴履歴記録手順は、前記指示がなされた位置情報を前記識別情報と関連付けて記録し、
前記視聴候補選択手順は、前記視聴履歴記録手順において前記識別情報が記録された無線放送が受信されるときに、更に、当該識別情報に関連付けられて記録されている位置情報が現在位置の所定の範囲内の位置を示すものである場合に当該無線放送を視聴候補として選択することを特徴とする請求項１記載の視聴放送選択方法。
【請求項３】
前記視聴履歴記録手順は、前記無線放送に含まれている当該無線放送の放送元の業務内容に関する業務情報を当該無線放送の前記識別情報に関連付けて記録し、
前記無線放送選択手順は、前記視聴履歴記録手順において前記識別情報が記録された無線放送が複数受信されるときに、前記業務情報に基づいて当該複数の無線情報に対する優先順位を判定することを特徴とする請求項１又は２記載の視聴放送選択方法。
【請求項４】
無線放送の視聴が可能な移動体端末であって、
無線放送を視聴するユーザからの指示に応じ、当該無線放送の識別情報と、前記指示がなされた時刻及び曜日の少なくともいずれか一方とを関連付けて記憶装置に記録する視聴履歴記録手段と、
前記識別情報が記録された無線放送が受信されるときに、当該識別情報に関連付けられて記録されている時刻の値が現在の時刻の値の所定の範囲内にある場合、又は当該識別情報に関連付けられて記録されている曜日が現在の曜日に一致する場合に、当該無線放送を視聴候補として選択する視聴候補選択手段とを有することを特徴とする移動体端末。
【請求項５】
請求項１乃至３いずれか一項記載の視聴放送選択方法を移動体端末に実行させるための視聴放送選択プログラム。
【発明の詳細な説明】
【技術分野】
【０００１】
本発明は、視聴放送選択方法、移動体端末及び視聴放送選択プログラムに関し、特に無線放送の視聴放送選択方法、移動体端末及び視聴放送選択プログラムに関する。
【背景技術】
【０００２】
近年、無線通信の進歩は目覚ましく、様々な技術が提案されている（例えば、特許文献１、特許文献２）。特に、携帯電話の発達は日進月歩であり、電子メールの送受信機能、インターネットへの接続機能、アプリケーションソフトのダウンロード及び実行機能、デジタルカメラ機能、ＧＰＳ機能、又はＴＶ放送の受信機能等が実装されたものが販売されている。携帯電話は、もはや単なる電話やインターネット端末としてではなく、携帯情報端末、又はそれ以上に日常生活をサポートするツールとして進化を続けている。
【特許文献１】特開２００２−２３２３４４号公報
【特許文献２】特開２００５−１９８０６０号公報
【発明の開示】
【発明が解決しようとする課題】
【０００３】
かかる背景において、ＴＶ放送の受信機能を有する携帯電話に対しローカルＴＶ放送等のブロードキャストによって店舗情報等を発信すれば、店舗前の歩行者に対して店舗情報を効果的に通知することができるものと考えられる。店舗前の歩行者にとっても、自らが携帯する携帯電話によって当該ローカルＴＶ放送を受信することで、当該店舗に関する各種サービス（広告やクーポンの受信等）を入手することができ、便利である。
【０００４】
本発明は、上記の点に鑑みてなされたものであって、移動体端末によって無線放送を視聴するユーザにとって適切な無線放送を視聴候補として選択することのできる視聴放送選択方法、移動体端末及び視聴放送選択プログラムの提供を目的とする。
【課題を解決するための手段】
【０００５】
そこで上記課題を解決するため、本発明は、無線放送の視聴が可能な移動体端末が実行する視聴放送選択方法であって、無線放送を視聴するユーザからの指示に応じ、当該無線放送の識別情報と、前記指示がなされた時刻及び曜日の少なくともいずれか一方とを関連付けて記憶装置に記録する視聴履歴記録手順と、前記識別情報が記録された無線放送が受信されるときに、当該識別情報に関連付けられて記録されている時刻の値が現在の時刻の値の所定の範囲内にある場合、又は当該識別情報に関連付けられて記録されている曜日が現在の曜日に一致する場合に、当該無線放送を視聴候補として選択する視聴候補選択手順とを有することを特徴とする。
【０００６】
このような視聴放送選択方法では、移動体端末によって無線放送を視聴するユーザにとって適切な無線放送を視聴候補として選択することができる。
【発明の効果】
【０００７】
本発明によれば、移動体端末によって無線放送を視聴するユーザにとって適切な無線放送を視聴候補として選択することのできる視聴放送選択方法、移動体端末及び視聴放送選択プログラムを提供することができる。
【発明を実施するための最良の形態】
【０００８】
以下、図面に基づいて本発明の実施の形態を説明する。本実施の形態では、移動体端末の具体例として携帯電話を採用し、無線放送の具体例としてローカルＴＶ（テレビ）放送を採用した例を説明する。
【０００９】
図１は、本発明の実施の形態におけるローカルＴＶ放送システムの構成例を示す図である。図１において、ローカルＴＶ放送システム１は、携帯電話１０、ローカルＴＶ送信機２０、ローカルＴＶ放送コンテンツサーバ３０、及びコンテンツ４０等より構成されている。
【００１０】
コンテンツ４０は、ローカルＴＶ放送のコンテンツそのものであり、その記録形態はローカルＴＶ放送コンテンツサーバ３０が利用できるものであれば限定されない。ローカルＴＶ放送コンテンツサーバ３０は、コンテンツ４０の管理を行い、コンテンツ４０をローカルＴＶ送信機２０に供給するコンピュータである。ローカルＴＶ送信機２０は、コンテンツ４０をローカルＴＶ放送波として出力する送信機である。携帯電話１０は、ＴＶ放送の受信機能が搭載されている携帯電話であり、ローカルＴＶ送信機２０より出力されるローカルＴＶ放送を受信し、視聴させることができる。
【００１１】
ここで、ローカルＴＶ放送とは、街頭における店舗等に設置された送信機より出力されるテレビ放送をいう。その内容（コンテンツ）は所定のものに限定されないが、例えば、ローカルＴＶ放送を出力する店舗の広告情報や販売促進情報等が好適なものとして想定される。本実施の形態においてローカルＴＶ送信機２０は、商店街等の街頭の店舗や、百貨店等の各売り場に設置されていることとする。ローカルＴＶ放送コンテンツサーバ３０及びコンテンツ４０は、ローカルＴＶ送信機２０等と共に各店舗等に設置されていてもよいし、コンテンツ４０の管理が一括して所定の企業に委託されているのであれば、当該企業において管理されていてもよい。
【００１２】
図２は、商店街におけるローカルＴＶ放送の様子を示す図である。図２では、店舗Ａ、店舗Ｂ、及び店舗Ｃが道路ｒの両脇に配置されている例が示されている。各店舗を囲むように描かれている破線による楕円ａ、楕円ｂ、楕円ｃは、それぞれ店舗Ａ、店舗Ｂ、店舗Ｃより出力されるローカルＴＶ放送の出力範囲（受信可能範囲）を示す。例えば、携帯電話１０のユーザが道路ｒを歩行中に、いずれかの楕円で示される領域に入ると、当該楕円に係る店舗のローカルＴＶ放送を携帯電話１０によって視聴することができる。したがって、各店舗は、当該店舗の広告情報やクーポン等の販売促進情報をローカルＴＶ放送によって放送することで、集客数の増加を期待することができる。また、携帯電話１０のユーザは、ローカルＴＶ放送によってかかる情報を視聴することにより、自らにとって、いわゆるお得な情報等を容易に入手することができる。なお、各ローカル放送のチャンネルは異なっている。したがって、図２において二つ以上の楕円が重なり合う領域では当該楕円に係る複数のローカルＴＶ放送の視聴が可能であるが、かかる領域における歩行者は、チャンネルを切り換えることによって、自分に興味のあるローカル放送を視聴することができる。
【００１３】
次に、携帯電話１０の詳細について説明する。図３は、本発明の実施の形態における携帯電話のハードウェア構成例を示す図である。図３において、携帯電話１０は、ＲＯＭ１０１、不揮発性ＲＡＭ１０２、ＲＡＭ１０３、ＣＰＵ１０４、通信インタフェース１０５、表示装置１０６、入力装置１０７、ＴＶチューナ１０８、タイマー１０９、及び位置検出装置１１０等を有するように構成される。
【００１４】
携帯電話１０に後述される処理を実行させるプログラムは、ＲＯＭ１０１又は不揮発性ＲＡＭ１０２にインストールされる。例えば、当該プログラムが、携帯電話１０の出荷時に予めインストールされる場合はＲＯＭ１０１に格納されるのが一般的である。また、当該プログラムが通信インタフェース装置１０５を介した無線通信によってインターネット等を介してダウンロードされて利用される場合は、不揮発性ＲＡＭ１０２に格納される。なお、ＲＯＭ１０１や不揮発性ＲＡＭ１０２には、当該プログラム以外に、当該プログラムが用いる各種データも格納され得る。ＲＡＭ１０３は、プログラムの起動指示があった場合に、ＲＯＭ１０１又は不揮発性ＲＡＭ１０２から読み出されたプログラム等を格納する。ＣＰＵ１０４は、ＲＡＭ１０３に格納されたプログラムに従って携帯電話１０に係る後述される機能を実行する。通信インタフェース装置１０５は、無線通信を行うためのアンテナや無線通信モジュール等が含まれる。表示装置１０６は、ＴＶチューナ１０８によって受信されるＴＶ放送の表示や、プログラムによって出力される各種情報を表示させる。入力装置１０７は、ボタン等によって構成され、ユーザからの入力指示を受け付ける。タイマー１０９は、ＲＴＣ（Real Time Clock）等、時刻を計時するための装置である。位置検出装置１１０は、携帯電話１０の現在位置を検出するための装置であり、例えば、ＧＰＳ（Global Positioning System）衛生より電波を受信することにより位置を検出するＧＰＳ受信機が相当する。また、ローカルＴＶ送信機２０に基づいて位置を把握することが可能であれば（例えば、ローカルＴＶ送信機２０ごとにエリア情報を識別することができる場合等）、ローカルＴＶ放送波を出力しているローカルＴＶ送信機２０を識別することにより、現在位置を検出するようにしてもよい。
【００１５】
以下、携帯電話１０がローカルＴＶ放送を受信する際の処理手順について説明する。図４は、携帯電話におけるローカルＴＶ放送の受信処理を説明するためのフローチャートである。図４の処理の各ステップは、ＲＯＭ１０１又は不揮発性ＲＡＭ１０２に格納されたプログラムに基づいてＣＰＵ１０４が制御する。
【００１６】
ステップＳ１０１において、携帯電話１０は、ＴＶチューナ１０８によって受信されるローカルＴＶ放送のチャンネルをスキャンする。この処理は、常時又は間欠的に行われる。ローカルＴＶ放送が受信される一つ又は複数のチャンネルを検出すると（Ｓ１０２）、視聴履歴情報が存在するか否かを判定する。例えば、図２において、携帯電話１０のユーザがいずれかの楕円内に入ると当該チャンネルが検出される。なお、視聴履歴情報とは、Ｗｅｂブラウザにおけるブックマークのような情報に相当し、ローカルＴＶ放送が視聴される度、又はローカルＴＶ放送が視聴された際にユーザからの明示的な登録指示によって番組ごとに不揮発性ＲＡＭ１０２に保存される。
【００１７】
当該ユーザが過去に一度もローカルＴＶ放送を視聴したことが無い場合、視聴履歴情報は不揮発性ＲＡＭ１０２には存在しない。この場合、ステップＳ１０４に進み、例えば、ローカル放送の視聴が可能である旨や、視聴可能なチャンネル番号の一覧を表示装置１０６に表示させる。但し、視聴可能なチャンネル番号の一覧は、ユーザからの入力に応じて表示させてもよい。ユーザからローカルＴＶ放送の選局を受け付けると、当該チャンネルに係るローカルＴＶ放送によって受信される番組（コンテンツ４０）を表示装置１０６に表示させる。ユーザが、当該番組に興味を持ち、視聴履歴の登録指示を入力すると、当該指示に応じ（Ｓ１０７）、現在表示装置１０６によって視聴されている番組について視聴履歴情報を不揮発性メモリ１０２に登録する（Ｓ１０８）。
【００１８】
図５は、ローカルＴＶ放送の視聴履歴情報の構成例を示す図である。図５において、視聴履歴情報には、ユーザによって登録が指示された番組ごとに、放送元識別子、チャンネル、受信位置、受信日時、曜日、業種、業態、営業時間、及び番組内容等が登録されている。放送元識別子は、放送元（当該ローカルＴＶ放送を送信する店舗）を識別するための情報であり、例えば、ローカルＴＶ送信機２０の識別子が用いられる。チャンネルは、当該ローカルＴＶ放送が視聴されていたときのチャンネルであり、視聴履歴情報の登録が指示された際にＴＶチューナ１０８より取得される。受信位置は、視聴履歴情報の登録が指示された際の携帯電話１０の位置情報であり、視聴履歴情報の登録が指示された際に位置検出装置１１０より取得される。受信日時及び曜日は、当該ローカルＴＶ放送を視聴していた日時又は曜日であり、視聴履歴情報の登録が指示された際にタイマー１０９より取得される。業種、業態、営業時間は、当該ローカルＴＶ放送を放送していた店舗の業種、業態、又は営業時間であり、当該店舗の業務内容を示す情報の一例である。番組内容は、当該ローカルＴＶ放送のコンテンツの内容を識別するための情報である。なお、放送元識別子、業種、業態、営業時間、及び番組内容については、コンテンツ４０に付随してローカルＴＶ放送によって伝送されるものが登録される。すなわち、ローカルＴＶ送信機２０は、これらの情報をコンテンツ４０に付随させてローカル放送波を出力する。なお、視聴履歴情報は、例えば、通信インタフェース１０５を介して他のコンピュータに送信することにより、当該他のコンピュータで管理させるようにしてもよい。不揮発性ＲＡＭ１０２の記憶容量が足りない場合、効果的である。
【００１９】
一方、携帯電話１０の不揮発性ＲＡＭ１０２に視聴履歴情報が登録されている場合、すなわち、ユーザが過去に少なくとも一度、視聴履歴の登録を行ったことがある場合（Ｓ１０３でＹｅｓ）、視聴履歴情報の中から、現在視聴可能なローカルＴＶ放送（以下「視聴可能放送」という。）と放送元識別子（すなわち、店舗）が一致する視聴履歴情報を検索する（Ｓ１１０）。なお、視聴可能放送が複数有る場合は（例えば、図２において、二つ以上の楕円が重なり合う領域にユーザがいる場合が相当する。）、それぞれのローカルＴＶ放送について検索が行われる。したがって、検索結果として複数の視聴履歴情報が検索され得る。
【００２０】
視聴履歴情報が一つも検索されなかった場合（Ｓ１１１でＮｏ）、上述したステップＳ１０４以降の処理を実行する。したがって、この場合、ユーザがいずれかの視聴可能放送を視聴し、視聴履歴の登録を行った場合、新たな視聴履歴情報が登録される。
【００２１】
一方、視聴履歴情報が少なくとも一つ検索された場合（Ｓ１１１でＹｅｓ）、単に、視聴可能放送のチャンネル一覧を提示するのではなく、検索された視聴履歴情報に基づいて、ユーザにとって関心が高いであろうチャンネルを自動的に判別するための処理を実行する。まず、位置検出装置１１０より現在位置の位置情報を取得し、タイマー１０９より現在の日時情報を取得する（Ｓ１１２）。続いて、検索されたそれぞれの視聴履歴情報について、その位置情報及び日時情報と現在位置情報及び現在日時情報とを比較することにより、位置情報及び日時情報が現在位置情報及び現在日時情報に近似する視聴履歴情報（以下「近似履歴情報」という。）を抽出する（Ｓ１１３）。
【００２２】
近似するか否かは、例えば、位置情報については現在位置から所定の距離内であるか否かについて判定すればよい。また、日時情報については、現在時刻から前後所定の時間内であるか否かについて判定すればよい。但し、ここでいう時刻の近似は、日付は除外して判定される。すなわち、視聴履歴情報における時刻の値（数値）が現在時刻の値（数値）の所定の範囲内であるか否かであるかによって判定される。例えば、現在時刻が１０時１５分の場合に、３日前の１１時の視聴履歴情報と、１週間前の１０時３０分の視聴履歴情報とがある場合、後者の方が現在時刻と近似する視聴履歴情報として判定される。なお、所定の範囲内であるか否かは、例えば、前後１又は２時間以内といったように、時間幅の範囲内であるか否かによって判定してもよいし、一日を朝、昼、晩といったような複数の時間帯に分け、その時間帯が一致するか否かによって判定してもよい。
【００２３】
なお、近似履歴情報の抽出には、必ずしも、時刻と位置の双方に基づいて行わなくてもよい。例えば、時刻情報のみに基づいて近似履歴情報を抽出し、位置情報については、後述の優先順位の判定の際に用いてもよい。また、時刻の近似ではなく、曜日の一致に基づいて近似履歴情報を抽出してもよいし、双方を組み合わせてもよい。
【００２４】
近似履歴情報が存在しなかった場合（Ｓ１１４でＮｏ）、ステップＳ１０４以降の処理を実行する。近似履歴情報が存在した場合（Ｓ１１４でＹｅｓ）、抽出された近似履歴情報は一つであるか否かを判定する（Ｓ１１５）。近似履歴情報が一つの場合（Ｓ１１５でＹｅｓ）、視聴可能放送のチャンネルの中から当該近似履歴情報に対応するチャンネルの視聴を促進するメッセージ等を表示装置１０６に表示させる（Ｓ１１６）。当該メッセージ等を確認したユーザより当該チャンネルの視聴の指示を受け付けると（Ｓ１１８）、当該チャンネルに係るローカルＴＶ放送のコンテンツ４０を表示装置１０６に表示させる（Ｓ１１９）。なお、ユーザからの視聴の指示を待つことなく、自動的に当該ローカルＴＶ放送を表示させるようにしてもよい。また、自動的に表示させるか否かを設定可能としてもよい。
【００２５】
一方、近似履歴情報が複数抽出された場合（Ｓ１１５でＮｏ）、複数の近似履歴情報について優先順位を判定する（Ｓ１１７）。優先順位の判定は、例えば、現在時刻との近さ、現在位置との近さや、曜日の一致等に基づいて行えばよい。また、それぞれの近似履歴情報に記録されている、業種、業態、営業時間等を考慮してもよい。例えば、現在時刻の時間帯が夜である場合、業種及び業態が夜に関係するもの（例えば、居酒屋）を優先させたり、現在時刻が営業時間内にあるものを優先させたりといった具合である。時刻と業種及び業態との関係については、別途テーブルにおいて管理しておき、その登録情報に基づいて判定すればよい。
【００２６】
続いて、近似履歴情報の優先順位順に、当該近似履歴情報に対応するチャンネルの一覧を表示装置１０６に表示させ、ユーザにローカルＴＶ放送の視聴を促進する。但し、優先順位が一番のもののみを表示させてもよい。また、優先順位が一番上のものを自動的に視聴させるようにしてもよい。続いて、視聴の指示を受けると（Ｓ１１８）、当該指示に係るチャンネルのローカルＴＶ放送を表示装置１０６に表示させる（Ｓ１１９）。
【００２７】
上述したように、本実施の形態における携帯電話１０によれば、過去にユーザが視聴し、意識的に登録したローカルＴＶ放送を優先的に視聴候補として選択することができる。その際、登録された時刻等と現在の時刻等とが比較され、近似するものが視聴候補とされる。したがって、例えば、繁華街等、多数の店舗から多数のローカルＴＶ放送が出力されているような場所において、ユーザにとって適切なチャンネルを選択して提示することができる。すなわち、かかる場所では、ユーザが過去に登録したローカルＴＶ放送が、複数放送されている可能性がある。かかる場合に、単に、過去に登録されたものだけを視聴候補として提示しただけでは、ユーザにとって煩雑さが感じられるほど多数の候補が提示される可能性がある。本発明によれば、登録時の時刻等を考慮して視聴候補を選択することで視聴候補が絞り込まれるため、ユーザにとって関心が高い店舗のＴＶ放送を視聴候補として提示することができる。
【００２８】
ここで、過去に登録した時刻と現在の時刻との近似によって視聴候補を選択することの妥当性について説明する。図２に示される商店街において、楕円ａ、ｂ及びｃの重複する領域（すなわち、店舗Ａ、Ｂ及びＣのいずれのローカルＴＶ放送をも受信可能な領域）にユーザが朝の時間帯に居た場合、ユーザは、店舗Ａの放送を視聴し、視聴履歴情報に登録したとする。次に、当該ユーザが、当該領域に夜の時間帯に居た場合、ユーザは、店舗Ｂの放送を視聴し、視聴履歴情報に登録したとする。このような場合、当該ユーザは、朝の時間帯には店舗Ａに興味があり、夜の時間帯には店舗Ｂに興味があるものと考えられる。そこで、次回ユーザが当該領域に来た場合、その時刻が朝の時間帯であれば店舗ＡのローカルＴＶ放送を視聴候補として提示してあげれば、ユーザの興味又はライフスタイルに即したサービスを提供するものができると考えられる。
【００２９】
また、曜日の近似によって視聴候補を選択する場合についても同様のことが言える。すなわち、ユーザが月曜日には店舗Ａの放送を視聴し、視聴履歴情報に登録したとする。また、水曜日には店舗Ｂの放送を視聴し、視聴履歴情報に登録したとする。このような場合、当該ユーザは、月曜日には店舗Ａに興味があり、火曜日には店舗Ｂに興味があるものと考えられるからである。
【００３０】
このように、時刻の近似や曜日の近似によって視聴候補を選択することで、ユーザのライフスタイルに即した放送を提示することができる。
【００３１】
なお、図３では、ＴＶチューナ１０８が一つしか搭載されていないように示されているが、ＴＶチューナ１０８は二つ以上搭載されていてもよい。例えば、二つ搭載されていれば、ユーザが一方のＴＶチューナによって一般的なテレビ番組を視聴中でも、他方ＴＶチューナによってローカルＴＶ放送のチャンネルスキャンを実行し、図４における処理を実行することができる。
【００３２】
また、本実施の形態では、携帯電話を移動体端末の具体例として説明したが、本発明の適用範囲は携帯電話に限られない。ＰＤＡ（Personal Digital Assistance）や、カーナビ等、無線波が受信できる移動体端末であれば、本発明を効果的に適用することができる。
【００３３】
また、本実施の形態では、視聴する情報はＴＶローカル放送により送受信されるものとして説明したが、本発明の適用範囲はＴＶローカル放送波に限られるものではなく、音声や画像などの情報を送受信できる無線通信形態であれば、どのような無線波であっても構わない。その場合には、図３で示したＴＶチューナ１０８は、ＴＶ放送波ではなく、無線波を受信するための機能を実行する構成によって置換されることになる。
【００３４】
以上、本発明の実施例について詳述したが、本発明は係る特定の実施形態に限定されるものではなく、特許請求の範囲に記載された本発明の要旨の範囲内において、種々の変形・変更が可能である。
【００３５】
以上の説明に関し、更に以下の項を開示する。
（付記１）  無線放送の視聴が可能な移動体端末が実行する視聴放送選択方法であって、
無線放送を視聴するユーザからの指示に応じ、当該無線放送の識別情報と、前記指示がなされた時刻及び曜日の少なくともいずれか一方とを関連付けて記憶装置に記録する視聴履歴記録手順と、
前記識別情報が記録された無線放送が受信されるときに、当該識別情報に関連付けられて記録されている時刻の値が現在の時刻の値の所定の範囲内にある場合、又は当該識別情報に関連付けられて記録されている曜日が現在の曜日に一致する場合に、当該無線放送を視聴候補として選択する視聴候補選択手順とを有することを特徴とする視聴放送選択方法。
（付記２）  前記視聴履歴記録手順は、前記指示がなされた位置情報を前記識別情報と関連付けて記録し、
前記視聴候補選択手順は、前記視聴履歴記録手順において前記識別情報が記録された無線放送が受信されるときに、更に、当該識別情報に関連付けられて記録されている位置情報が現在位置の所定の範囲内の位置を示すものである場合に当該無線放送を視聴候補として選択することを特徴とする付記１記載の視聴放送選択方法。
（付記３）  前記視聴履歴記録手順は、前記無線放送に含まれている当該無線放送の放送元の業務内容に関する業務情報を当該無線放送の前記識別情報に関連付けて記録し、
前記無線放送選択手順は、前記視聴履歴記録手順において前記識別情報が記録された無線放送が複数受信されるときに、前記業務情報に基づいて当該複数の無線情報に対する優先順位を判定することを特徴とする付記１又は２記載の視聴放送選択方法。
（付記４）  前記業務情報は、前記放送元の業種、業態、及び営業時間の少なくともいずれか一つを含むことを特徴とする付記３記載の視聴放送選択方法。
（付記５）  前記視聴候補選択手順において選択された無線放送の視聴を促進するための情報を前記移動体端末の表示装置に表示させることを特徴とする付記１乃至４いずれか一項記載の視聴放送選択方法。
（付記６）  前記視聴候補選択手順において選択された無線放送を前記移動体端末の表示装置に自動的に表示させることを特徴とする付記１乃至５いずれか一項記載の視聴放送選択方法。
（付記７）  無線放送の視聴が可能な移動体端末であって、
無線放送を視聴するユーザからの指示に応じ、当該無線放送の識別情報と、前記指示がなされた時刻及び曜日の少なくともいずれか一方とを関連付けて記憶装置に記録する視聴履歴記録手段と、
前記識別情報が記録された無線放送が受信されるときに、当該識別情報に関連付けられて記録されている時刻の値が現在の時刻の値の所定の範囲内にある場合、又は当該識別情報に関連付けられて記録されている曜日が現在の曜日に一致する場合に、当該無線放送を視聴候補として選択する視聴候補選択手段とを有することを特徴とする移動体端末。
（付記８）  付記１乃至６いずれか一項記載の視聴放送選択方法を移動体端末に実行させるための視聴放送選択プログラム。
【図面の簡単な説明】
【００３６】
【図１】本発明の実施の形態におけるローカルＴＶ放送システムの構成例を示す図である。
【図２】商店街におけるローカルＴＶ放送の様子を示す図である。
【図３】本発明の実施の形態における携帯電話のハードウェア構成例を示す図である。
【図４】携帯電話におけるローカルＴＶ放送の受信処理を説明するためのフローチャートである。
【図５】ローカルＴＶ放送の視聴履歴情報の構成例を示す図である。
【符号の説明】
【００３７】
１        ローカルＴＶ放送システム
１０      携帯電話
２０      ローカルＴＶ送信機
３０      ローカルＴＶ放送コンテンツサーバ
４０      コンテンツ
１０１    ＲＯＭ
１０２    不揮発性ＲＡＭ
１０３    ＲＡＭ
１０４    ＣＰＵ
１０５    通信インタフェース
１０６    表示装置
１０７    入力装置
１０８    ＴＶチューナ
１０９    タイマー
１１０    位置検出装置
【図１】
2007329839.tif 000003
【図２】
2007329839.tif 000004
【図３】
2007329839.tif 000005
【図４】
2007329839.tif 000006
【図５】
2007329839.tif 000007